(57)【特許請求の範囲】
【請求項１】
洗濯物を収容する洗濯槽と、
前記洗濯槽を回転可能に内包する外槽と、
前記洗濯槽を回転駆動するモータと、
前記洗濯槽および前記外槽の間の空間へ給水する第１給水経路と、
光励起作用のある光励起抗菌剤を含有した光励起抗菌剤添加水を生成する抗菌剤発生手段と、
前記抗菌剤発生手段を介して前記洗濯槽内へ光励起抗菌剤添加水を供給する第２給水経路と、
前記第２給水経路から前記洗濯槽内に光励起抗菌剤添加水を供給する噴射部と、
光励起抗菌剤添加水がかけられた洗濯物に光を照射する光源と、
前記モータの駆動を制御し洗濯、濯ぎ、脱水の各工程を逐次制御する制御手段とを備え、前記制御手段は、少なくとも前記第１給水経路からの給水完了より前に、前記第２給水経路から光励起抗菌剤添加水が噴射された洗濯物の受水部に、前記光源から光を照射するようにした洗濯機。
【請求項２】
第２給水経路は、水道に接続された第１給水経路から分岐して設けられ、前記第１給水経路を流れる単位時間当りの流量より少なくなるように設定した請求項１記載の洗濯機。
【請求項３】
第２給水経路は、第１給水経路の経路断面積より細くした請求項２記載の洗濯機。
【請求項４】
噴射部は、光励起抗菌剤添加水が洗濯物に対してシャワー状に供給されるように構成した請求項１〜３のいずれか１項に記載の洗濯機。
【請求項５】
制御手段は、濯ぎ行程で光励起抗菌剤添加水を洗濯物に供給し光源から光を照射するようにした請求項１〜４のいずれか１項に記載の洗濯機。
【請求項６】
制御手段は、濯ぎ行程の排水後または濯ぎ行程の脱水後に、洗濯槽を回転させながら第２給水経路から光励起抗菌剤添加水を洗濯物に供給し、光源から光を照射するようにした請求項５記載の洗濯機。
【請求項７】
制御手段は、濯ぎ行程終了後に抗菌剤発生手段を停止し、第２給水経路を通して洗濯槽に給水するようにした請求項１〜６のいずれか１項に記載の洗濯機。
【請求項８】
光励起作用のある光励起抗菌剤をＡｇとした請求項１〜７のいずれか１項に記載の洗濯機。
【発明の詳細な説明】
【技術分野】
【０００１】
本発明は、洗濯機で洗う衣類に付着した菌の除菌を行う洗濯機に関するものである。
【背景技術】
【０００２】
従来、衣類の除菌あるいは抗菌処理を行う洗濯機として、抗菌性のあるＡｇを利用する以下のような除菌技術がある（例えば、特許文献１参照）。
【０００３】
図５は、前記公報に記載された洗濯機の断面図を示すものである。図５に示すように、洗濯機１は全自動型のものであり、外箱５０を備える。外箱５０は直方体形状で、金属又は合成樹脂により成形され、その上面と底面は開口部となっている。外箱５０の上面開口部には合成樹脂製の上面板５１を重ね、外箱５０にネジで固定する。上面板５１には後述する洗濯槽に洗濯物を投入するための洗濯物投入口５２が形設される。洗濯物投入口５２を蓋５３が上から覆う。
【０００４】
外箱５０の内部には水槽５４と、脱水槽を兼ねる洗濯槽５５を配置する。水槽５４も洗濯槽５５も上面が開口した円筒形のカップの形状を呈しており、各々軸線を垂直にし、水槽５４を外側、洗濯槽５５を内側とする形で同心的に配置される。
【０００５】
洗濯槽５５の内部底面には槽内で洗濯水あるいはすすぎ水の流動を生じさせるためのパルセータ５６を配置する。
【０００６】
洗濯機１００は抗菌性のあるＡｇを溶出するイオン溶出ユニット５７を備える。イオン溶出ユニット５７はメイン給水管５８の途中に配置されている。
【０００７】
以上のような構成の洗濯機について、その動作を説明する。
【０００８】
洗濯機１００の蓋５３を開き、洗濯物投入口５２から衣類が洗濯槽５５へ投入される。
【０００９】
衣類が投入された後、洗濯機１００の水槽５４に水道から水が注水され、パルセータ５６の攪拌によって洗い工程の運転が行われる。一定時間洗い運転が行われた後、洗濯槽５５内の水は排水され、洗濯槽５５は高速回転し脱水される。その後、水槽５４に再び水が注水され、パルセータ５６の攪拌によってすすぎ行程の運転が行われる。一定時間すすぎ運転が行われた後、洗濯槽５５内の水は排水され、洗濯槽５５は高速回転し脱水される。このすすぎと脱水工程が数回行われ洗濯が終了する。
【００１０】
ここで、すすぎ工程において水道から注水される時に、イオン溶出ユニット５７からはＡｇが溶出しメイン給水配管５８を通じて洗濯槽５５内へ投入される。そして、洗濯槽５５内で衣類がすすがれることで衣類の表面にＡｇが付着し、衣類に付着した菌の細胞壁と反応することで菌は死滅し除菌される。
【００１１】
また、Ａｇを含んだすすぎ水によって衣類の表面は抗菌処理されるため、洗濯後の衣類は、着用時に抗菌効果を有している。
【特許文献１】特開２００４−１０５６９２号公報
【発明の開示】
【発明が解決しようとする課題】
【００１２】
しかしながら、前記従来の構成では、多量の衣類を抗菌あるいは除菌処理するためには、イオン溶出ユニット５７からは高濃度のＡｇを溶出する必要があり、繰り返し衣類をＡｇで処理し続けると衣類が変色してしまうという課題があった。
【００１３】
また、Ａｇによる除菌は、大腸菌や黄色ブドウ球菌に対しては効果が高いが、それ以外の細菌やカビに対しては効果が低くなるという課題があった。
【００１４】
このような課題に対して、光励起作用のある抗菌剤を含んだ水で衣類をすすぎ処理し、処理した衣類に光を照射し、抗菌剤が励起したときに発生するヒドロキシラジカル等の活性酸素種により細菌やカビを分解する技術が考えられる。この技術により、活性酸素種を効率よく発生して衣類の除菌を行うためには、光の照射方法、抗菌剤の供給方法を最適化する必要がある。
【００１５】
本発明は、前記従来の課題を解決するもので、光励起抗菌剤により効率的に活性酸素種を発生させ、低濃度の抗菌剤でも多量の衣類を除菌、抗菌処理することができ、細菌やカビ類に対して幅広い除菌、抗菌効果を示すことができる洗濯機を提供することを目的とする。
【課題を解決するための手段】
【００１６】
前記課題を解決するために、本発明の洗濯機は、洗濯物を収容する洗濯槽と、前記洗濯槽を回転可能に内包する外槽と、前記洗濯槽を回転駆動するモータと、前記洗濯槽および前記外槽の間の空間へ給水する第１給水経路と、光励起作用のある抗菌剤を含有した光励起抗菌剤添加水を生成する抗菌剤発生手段と、前記抗菌剤発生手段を介して前記洗濯槽内へ光励起抗菌剤添加水を供給する第２給水経路と、前記第２給水経路から前記洗濯槽内に光励起抗菌剤添加水を供給する噴射部と、光励起抗菌剤添加水がかけられた洗濯物に光を照射する光源と、前記モータの駆動を制御し洗濯、濯ぎ、脱水の各工程を逐次制御する制御手段とを備え、前記制御手段は、少なくとも前記第１給水経路からの給水完了より前に、前記第２給水経路から光励起抗菌剤添加水が噴射された洗濯物の受水部に、前記光源から光を照射するようにしたことにより、洗濯物には高濃度の光励起抗菌剤が付着した状態で光が照射されるので、高濃度の光励起抗菌剤が励起されて、供給される光励起抗菌剤量に対してより多量のヒドロキシラジカル等の活性酸素種が洗濯物表面上に発生させることができる。
【００１７】
したがって、高濃度の光励起抗菌剤と共に高濃度の活性酸素種を利用することができるので、低濃度の抗菌剤で洗濯物の除菌、抗菌を行うことができる。また、高濃度の活性酸素種による酸化分解を利用するので、抗菌スペクトルを拡げ大腸菌や黄色ブドウ球菌の以外の細菌やカビに対しても除菌効果を向上することができる。
【発明の効果】
【００１８】
本発明の洗濯機は、光励起抗菌剤により効率的に活性酸素種を発生させ、低濃度の抗菌
剤でも多量の衣類を除菌、抗菌処理することができ、細菌やカビ類に対して幅広い除菌、抗菌効果を示すことができる。
【発明を実施するための最良の形態】
【００１９】
第１の発明は、洗濯物を収容する洗濯槽と、前記洗濯槽を回転可能に内包する外槽と、前記洗濯槽を回転駆動するモータと、前記洗濯槽および前記外槽の間の空間へ給水する第１給水経路と、光励起作用のある光励起抗菌剤を含有した光励起抗菌剤添加水を生成する抗菌剤発生手段と、前記抗菌剤発生手段を介して前記洗濯槽内へ光励起抗菌剤添加水を供給する第２給水経路と、前記第２給水経路から前記洗濯槽内に光励起抗菌剤添加水を供給する噴射部と、光励起抗菌剤添加水がかけられた洗濯物に光を照射する光源と、前記モータの駆動を制御し洗濯、濯ぎ、脱水の各工程を逐次制御する制御手段とを備え、前記制御手段は、少なくとも前記第１給水経路からの給水完了より前に、前記第２給水経路から光励起抗菌剤添加水が噴射された洗濯物の受水部に、前記光源から光を照射するようにしたことにより、洗濯物には高濃度の光励起抗菌剤が付着した状態で光が照射されるので、高濃度の光励起抗菌剤が励起されて、供給される光励起抗菌剤量に対してより多量のヒドロキシラジカル等の活性酸素種が洗濯物表面上に発生させることができる。
【００２０】
したがって、高濃度の光励起抗菌剤と共に高濃度の活性酸素種を利用することができるので、低濃度の抗菌剤で洗濯物の除菌、抗菌を行うことができる。また、高濃度の活性酸素種による酸化分解を利用するので、抗菌スペクトルを拡げ大腸菌や黄色ブドウ球菌の以外の細菌やカビに対しても除菌効果を向上することができる。
【００２１】
第２の発明は、特に第１の発明の第２給水経路を、水道に接続された第１給水経路から分離して設けられ、前記第１給水経路を流れる単位時間当りの流量より少なくなるように設定したことにより、噴射部から供給される光励起抗菌剤添加水の濃度は、より高濃度に設定することができるので、洗濯槽内の洗濯物により高濃度の光励起抗菌剤を付着することができ光照射によってより多量の活性酸素種を発生することができるため、さらに除菌効果を向上することができる。
【００２２】
第３の発明は、特に、第２の発明の第２給水経路を、第１給水経路の経路断面積より細くしたことにより、抗菌剤発生手段を設けた第２給水経路の流量は第１給水経路に比べ低流量となるため、噴射部から供給される光励起抗菌剤添加水の濃度は、より高濃度に設定することができる。また、管径を細くすることで流量を小さくしているので、給水弁による流量制御を精度良く行うことができ、噴射部から供給される光励起抗菌剤添加水の濃度の設定を精度良く行うことができる。
【００２３】
第４の発明は、特に、第１〜第３のいずれか１項に記載の発明において、光励起抗菌剤添加水が洗濯物に対してシャワー状に供給されるように構成したことにより、噴射部から供給される高濃度の光励起抗菌剤添加水は洗濯物全体に偏りなく均一に付着させることができるので、光照射によって洗濯物全体に活性酸素種を発生させて除菌効果を得ることができる。
【００２４】
第５の発明は、特に、第１〜第４のいずれか１項に記載の発明において、制御手段は、濯ぎ行程で光励起抗菌剤添加水を洗濯物に供給し光源から光を照射するようにしたことにより、洗濯槽の回転による攪拌動作によって濯ぎ水を通じて洗濯物全体に光励起抗菌剤を付着させることができ、光照射によって洗濯物全体にさらに活性酸素種を発生させて除菌効果を得ることができる。
【００２５】
第６の発明は、特に、第５の発明の制御手段は、濯ぎ行程の排水後または濯ぎ行程の脱水後に、洗濯槽を回転させながら第２給水経路から光励起抗菌剤添加水を洗濯物に供給し
、光源から光を照射するようにしたことにより、洗濯物に付着した光励起抗菌剤が露出した状態で光照射されるので、効率的に活性酸素種を発生することができ、除菌効果を得ることができる。
【００２６】
第７の発明は、特に、第１〜第６のいずれか１項に記載の発明において、制御手段は、濯ぎ行程終了後に抗菌剤発生手段を停止し、第２給水経路を通して洗濯槽に給水するようにしたことにより、抗菌剤発生手段及び第２給水経路に付着した光励起抗菌剤を除去し、抗菌剤が凝集して堆積することを防止することができる。
【００２７】
第８の発明は、特に、第１〜第７のいずれかひとつの発明において、光励起作用のある光励起抗菌剤をＡｇとしたことにより、光照射により容易に励起状態になるため、より効率的に活性酸素種を発生させて除菌効果を得ることができる。
【００２８】
以下、本発明の実施の形態について、図面を参照しながら説明する。なお、この実施の形態によって本発明が限定されるものではない。
【００２９】
（実施の形態１）
図１に、本発明の第１の実施の形態の洗濯機の断面図を示す。
【００３０】
図２には、本発明の第１の実施の形態の切換え弁の要部拡大図を示す。
【００３１】
図３には、本発明の第１の実施の形態の噴射部の斜視図を示す。
【００３２】
図４には、本発明の第１の実施の形態の抗菌剤発生手段の斜視図を示す。
【００３３】
図１において、洗濯機本体１は、外槽２とその外槽２内に回転自在に配され洗濯槽３を内蔵している。洗濯槽３は、モータ４によって洗濯槽３を回転できるように構成されている。
【００３４】
外槽２の端周縁部には光源５であるＬＥＤ（波長  約３５０〜６６０ｎｍ）を配設している。外槽２の下部に排水路６の一端を接続し、排水路６には排水弁７を接続して外槽２内の洗濯水を排水するようにしている。
【００３５】
洗濯槽３への給水は、洗剤や柔軟剤を投入する洗剤ケース８が設置されているメイン給水経路となる第１給水経路９と第１給水経路９から分岐した第２給水経路１０から給水弁１１の開閉によって給水される。
【００３６】
抗菌剤発生手段１２は、第２給水経路１０の経路途中に設けられている。第１給水経路９と第２給水経路１０の分岐部には切換え弁１３が設けられている。図２に示すように、切換え弁１３の内部には、回転可動する流量制御部１４が設けられており、制御手段１５からの電気信号により可動できるようになっている。この流量制御部１４の位置によって、第１給水経路９と第２給水経路１０を通過する流水の流量を制御している。また、第１給水経路９に比べて、第２給水経路１０は経路断面積を細くしている。
【００３７】
また、図３に示すように、第２給水経路１０の出口先端には洗濯槽３へ水を噴射する噴射部１６が設けられており、複数の穴１７が開口したシャワーノズルの形状を形成している。
【００３８】
図４において、抗菌剤発生手段１２の電解槽１８は、電解槽１８内に２枚の銀板状電極１９を有し、長手方向の一方の端に水の流入口２０、他方の端に水の流出口２１を備える
。電解槽１８内部には、流入口２０から流出口２１へと向かう水流に沿う形で、２枚の銀板状電極１９が向かい合わせに配置し、光励起抗菌剤２２であるＡｇを供給することができる。
【００３９】
また、銀板状電極１９の一部には、電圧を印加するための接続端子２３を設けている。電解槽１８の中に水が存在する状態で銀板状電極１９に所定の電圧を印加すると、銀板状電極１９の陽極側から電極構成金属であるＡｇが溶出する。電解槽１８では、電圧の印加の有無でＡｇの溶出、非溶出を選択できる。また電流や電圧印加時間を制御することによりＡｇの溶出量を制御できる。電解槽１８に長時間一方向に電流を流すと、陽極側となっている電極が減耗するとともに、陰極側となっている電極には水中のカルシウムなどの不純物がスケールとして固着する。また電極の成分金属の塩化物及び硫化物が電極表面に発生する。これは抗菌剤発生手段１２の性能低下をきたすので、制御手段１５により電極の極性を反転して運転できるように構成されている。
【００４０】
図１において、洗濯槽３は有底円筒形に形成され、その周面に外槽２内に通じる多数の通水孔が形成され、内周面の複数位置にバッフル２４を設けている。洗濯槽３の回転中心に略傾斜方向に回転軸を設け、内槽３の軸心方向を背面側から正面側に向けて上向きに傾斜させて配設している。この回転軸に、外槽２の背面側に取り付けたモータ４を連結し、洗濯槽３を正転および逆転方向に回転駆動するようにしている。
【００４１】
外槽２の正面側の上向き傾斜面に設けた開口部を蓋２５により開閉自在に覆い、この蓋２５を開くことにより洗濯物出入口を通して洗濯槽３内に洗濯物を出し入れすることができる。蓋２５を上向き傾斜面に設けているため、洗濯物の出し入れは腰を屈めることなく行うことができ、一般には横向きにある開口部から洗濯物を出し入れする洗濯機の作業性の悪さを改善している。
【００４２】
次に動作について説明する。
【００４３】
蓋２５を開いて洗濯槽３内に洗濯物及び洗剤を投入して洗濯機本体１の運転を開始させると、給水弁１１が開状態になり第１給水経路９を通じて、外槽２内には所定量の注水がなされる。このとき、切換え弁１３の流量制御部１４は第２給水経路１０を閉じており、注水は第１給水経路９を通じてのみ行われる。
【００４４】
その後、モータ４により洗濯槽３が回転駆動されて洗い行程が開始される。洗濯槽３の回転により、洗濯槽３内に収容された洗濯物は洗濯槽３の内周面に設けられたバッフル２４によって回転方向に持ち上げられ、持ち上げられた適当な高さ位置から落下する撹拌動作が繰り返されるので、洗濯物には叩き洗いの作用が及んで洗濯がなされる。
【００４５】
所要の洗い時間の後、排水弁７が開状態になり汚れた洗濯液が排水路６ら排出され、洗濯槽３を高速回転させる脱水動作により洗濯物に含まれた洗濯液を脱水する。
【００４６】
次に、すすぎ行程が開始する。給水弁１１が開くと、切換え弁１３の流量制御部１４は作動し、第２給水経路１０の一部分が開状態になり第１給水経路９と同時に第２給水経路１０にも水が流れ、抗菌剤発生手段１２の流入口２０から電解槽１８に水が流入する。そして、制御手段１５から抗菌剤発生手段１２の電解槽１８における銀板状電極１９に通電され一定の電流が流れる。これにより、銀板状電極１９から光励起抗菌剤２２のＡｇが溶出する。そして、光励起抗菌剤２２のＡｇが溶出した光励起抗菌剤添加水が電解槽１８の流出口２１から流出し、噴射部１６へ達する。そして、噴射部１６から抗菌剤２２のＡｇ添加水が洗濯槽３内の洗濯物に噴射される。
【００４７】
ここで、第２給水経路１０は第１給水経路９よりも断面積が小さく、切換え弁１３の流量制御部１４によって開口部が絞られているので、第２給水経路１０を流れる水の流量は第１給水経路９の流量よりも小さい。したがって、噴射部１６から洗濯物に供給される光励起抗菌剤添加水中の光励起抗菌剤２２のＡｇの濃度は、第１給水経路９と第２給水経路１０から給水されて洗濯槽３に最終的に貯留される光励起抗菌剤添加水の濃度よりも高くなる。このようにして、洗濯物表面には高濃度の光励起抗菌剤２２が噴射部１６から供給される。
【００４８】
次に、光励起抗菌剤２２の添加水が洗濯槽３内へ噴射されると、光源５であるＬＥＤから光が洗濯物に向かって照射される。本実施の形態では、外槽２の端周縁部上部に設置した場合について説明しているが、横あるいは下部に設置してもよい。
【００４９】
ここで、光励起抗菌剤２２の光励起抗菌剤添加水が噴射された洗濯物の受水部はＡｇが高濃度の状態で付着している。というのも、給水初期は洗濯槽３にはすすぎ水が洗濯物を浸からせるほど溜められていないため、洗濯物が洗濯槽３の水面より上にある状態で高濃度の光励起抗菌剤添加水が噴射部１６から供給される。
【００５０】
このため、この受水部にＬＥＤによる光が照射されると、Ａｇからの光励起作用によるヒドロキシラジカル等の活性酸素種の発生が効率よく行われ、Ａｇ自身が衣類上の菌に作用すると共に活性酸素種による菌の分解を効率よく行うことができる。ここで、Ａｇは他の金属元素を有する抗菌剤に比べ抗菌作用が高く、且つ光励起作用も高いことから、より低濃度の抗菌剤で衣類の除菌及び抗菌を行うことができる。
【００５１】
また、すすぎ工程が開始され、給水直後からＬＥＤにより光を照射し、洗濯槽３を回転させ洗濯物の攪拌を行えば、高濃度の光励起抗菌剤添加水による攪拌がなされ、ヒドロキシラジカル等の活性酸素種がより多く発生し、すすぎ工程初期において効果的に洗濯物の除菌・抗菌が可能となる。
【００５２】
また、噴射部１６の出口先端は複数の穴１７が開口したシャワーノズルの形状を形成しているので、洗濯槽３への注水時に分散して光励起抗菌剤２２を含んだ水を衣類に含ませることができる為、さらに洗濯物へ偏りなく光励起抗菌剤２２を付着し洗濯物全体に均一に付着することができる。
【００５３】
さらに、光源５からの光照射は、濯ぎ行程の排水後または、排水後に脱水した後に洗濯槽３へ洗濯槽３を回転させながら第２給水経路１０から光励起抗菌剤添加水を洗濯物に供給し、光源５から光を照射するようにしたことにより、洗濯物に付着した光励起抗菌剤２２が露出した状態で光照射されるので、効率的に活性酸素種を発生することができ、除菌効果を得ることができる。
【００５４】
また、抗菌剤発生手段１２は、洗剤や柔軟剤を投入する洗剤ケース８が設置されている第１給水経路９から分岐した第２給水路１０に設置されている為、洗い行程で使用した洗剤ケース８や第１給水路９に残った洗剤や柔軟剤の残渣と接触することがないので、抗菌剤２２が反応して除菌作用が低下することを軽減し、光による活性酸素種の発生の低下を防止することができる。
【００５５】
このようにして、光励起抗菌剤１４を含んだ水の注水が終わった後、濯ぎが開始する。この濯ぎにおいても洗濯槽３内に収容された洗濯物は洗濯槽３の回転によりバッフル２４により持ち上げられて落下する撹拌動作が繰り返されて濯ぎが実施される。このため、濯ぎ水を通じて洗濯物全体に抗菌剤１４を付着させることができ、光照射によって洗濯物全体にさらに活性酸素種を発生させて除菌効果を得ることができる。
【００５６】
こうして、一定時間濯いだ後、濯ぎ水は排水路６から排出され、洗濯槽３を高速回転させる脱水動作により洗濯物に含まれた濯ぎ水を脱水し、洗濯・濯ぎ行程が終了する。
【００５７】
なお、洗濯物を除菌するのに必要な光励起抗菌剤２２の量は、洗濯物の量によって変わってくる。したがって、洗濯物量を検知して制御手段１５によって切換え弁１３の流量制御部１４を作動させて第２給水経路１０を流れる水の流量を制御することで、光励起抗菌剤添加水での光励起抗菌剤２２のＡｇ濃度を調節することができる。
【００５８】
また、洗い行程及び光励起抗菌剤２２とＬＥＤ５からの光照射による除菌動作が行われる濯ぎ行程が終了した後、制御手段１５によって、抗菌剤発生手段１２は停止し切換え弁１３の流量制御部１４が作動して第１給水経路９が閉状態となる。そして、給水弁１１が開き第２給水経路１０だけを通じて水が流れる。これによって、第２給水経路１０に付着した光励起抗菌剤２２を除去し、光励起抗菌剤２２が凝集して堆積することを防止することができる。その後、最終の脱水を行い、洗濯・濯ぎ・脱水のすべての工程を終了する。
【００５９】
以上のように、本実施の形態においては、洗濯物を収容する洗濯槽３と、洗濯槽３を回転可能に内包する外槽２と、洗濯槽３を回転駆動するモータ４と、洗濯槽３へ給水する第１給水経路９と、光励起作用のある光励起抗菌剤２２を含有した光励起抗菌剤添加水を生成する抗菌剤発生手段１２と、抗菌剤発生手段１２を介して洗濯槽３へ光励起抗菌剤添加水を供給する第２給水経路１０と、第１給水経路９および第２給水経路１０を介して洗濯槽３への給水を切換え可能に制御する切換え弁１３と、第２給水経路１０から洗濯槽３内に光励起抗菌剤添加水を供給する噴射部１６と、光励起抗菌剤添加水がかけられた洗濯物に光を照射する光源５と、モータ４の駆動を制御し洗濯、濯ぎ、脱水の各工程を逐次制御する制御手段１５とを備え、制御手段１５は、洗濯槽３を回転させて洗濯物を攪拌し光励起抗菌剤添加水の供給と光の照射を行うとともに、抗菌剤発生手段１２により噴射部１６から供給される光励起抗菌剤添加水の光励起抗菌剤２２の濃度を、濯ぎ行程で洗濯槽３に溜められる光励起抗菌剤添加水の光励起抗菌剤２２の濃度より濃くなるようにしたことにより、洗濯物には高濃度の光励起抗菌剤２２が付着した状態で光が照射されるので、高濃度の光励起抗菌剤２２が励起されて、供給される光励起抗菌剤量に対してより多量のヒドロキシラジカル等の活性酸素種が洗濯物表面上に発生させることができる。
【００６０】
したがって、高濃度の光励起抗菌剤と共に高濃度の活性酸素種を利用することができるので、低濃度の抗菌剤で洗濯物の除菌、抗菌を行うことができる。また、高濃度の活性酸素種による酸化分解を利用するので、抗菌スペクトルを拡げ大腸菌や黄色ブドウ球菌の以外の細菌やカビに対しても除菌効果を向上することができる。
【産業上の利用可能性】
【００６１】
以上のように、本発明にかかる洗濯機は、抗菌剤自身が衣類上の菌に作用すると共に活性酸素種による酸化によって菌を分解するので、低濃度の抗菌剤で衣類の除菌、抗菌を行うことができるので、衣類乾燥機等の用途にも適用できる。
【図面の簡単な説明】
【００６２】
【図１】本発明の実施の形態１における洗濯機の断面図
【図２】本発明の実施の形態１の切換え弁の要部拡大図
【図３】本発明の実施の形態１の噴射部の斜視図
【図４】本発明の実施の形態１の抗菌剤発生手段の斜視図
【図５】従来の洗濯機の断面図
【符号の説明】
【００６３】
２  外槽
３  洗濯槽
４  モータ
５  光源
９  第１給水経路
１０  第２給水経路
１２  抗菌剤発生手段
１３  切換え弁
１５  制御手段
１６  噴射部
２２  光励起抗菌剤
【図１】
0004911097.tif 000002
【図２】
0004911097.tif 000003
【図３】
0004911097.tif 000004
【図４】
0004911097.tif 000005
【図５】
0004911097.tif 000006